(57)【特許請求の範囲】
【請求項１】
壁や天井に形成された点検口の周縁部分に取り付けられる枠材であって、前記点検口の内周面を覆う第１の覆片と前記点検口を閉蓋する蓋板の外周面を覆う第２の覆片とが、前端開放の溝部を両者間に形成するように後部で一体化され、且つ前記第２の覆片が、その後部から前部に向かうにつれて前記第１の覆片側に傾斜してなる本体部材を具えており、該本体部材の前記溝部の開放部を遮蔽する遮蔽片が、前記第１の覆片の前部に屈曲部を介して開閉可能に一体に設けられ、又前記遮蔽片が閉じるに伴って、該遮蔽片の後面に設けた第１の係合部が前記第２の覆片を、その傾斜角度を小さくする方向に弾性変形させ、前記遮蔽片が閉じたときには、前記第２の覆片が弾性的に戻ることによって、前記第１の係合部と前記第２の覆片の前記溝部側に設けられた第２の係合部とが係合状態になり、これにより、前記遮蔽片が前記開放部を遮蔽した状態で保持され、且つ該遮蔽片の先端側の部分が、点検口を閉蓋した状態にある前記蓋板の端縁部分を前側から支持する如くなされていることを特徴とする点検口用の枠材。
【請求項２】
壁や天井に形成された点検口の周縁部分に取り付けられる枠材であって、前記点検口の内周面を覆う第１の覆片と前記点検口を閉蓋する蓋板の外周面を覆う第２の覆片とが、前端開放の溝部を両者間に形成するように後部で一体化され、且つ前記第２の覆片が、その後部から前部に向かうにつれて前記第１の覆片側に傾斜してなる本体部材を具えており、該本体部材の後部には、閉蓋状態にある前記蓋板の後面を支持する蓋板支持片が設けられると共に、前記溝部の開放部を遮蔽する遮蔽片が、前記第１の覆片の前部に屈曲部を介して開閉可能に一体に設けられ、又前記遮蔽片が閉じるに伴って、該遮蔽片の後面に設けた第１の係合部が前記第２の覆片を、その傾斜角度を小さくする方向に弾性変形させ、前記遮蔽片が閉じたときには、前記第２の覆片が弾性的に戻ることによって、前記第１の係合部と前記第２の覆片の前記溝部側に設けられた第２の係合部とが係合状態になり、これにより、前記遮蔽片が前記開放部を遮蔽した状態で保持され、且つ該遮蔽片の先端側の部分が、点検口を閉蓋した状態にある前記蓋板の端縁部分を前側から支持する如くなされていることを特徴とする点検口用の枠材。
【請求項３】
前記第２の覆片の前部には、前記溝部側と反対側に突部が設けられており、前記突部の先端は、板材を所要に切断して前記蓋板を形成する場合にその切断寸法を設定する定規として機能することを特徴とする請求項１又は２記載の点検口用の枠材。
【請求項４】
前記第２の覆片の前部には、前記溝部側と反対側に突部が設けられており、前記第１の係合部と第２の係合部とが係合した状態で前記突部が、点検口を閉蓋した状態にある前記蓋板の端縁部分の前面と係合するようになされていることを特徴とする請求項１又は２記載の点検口用の枠材。
【請求項５】
前記蓋板支持片の、前記蓋板の後面を支持する支持片部は、その基端側から先端側に向かって前方に傾斜し、前記先端側で前記後面に接し且つ前記基端側が前記後面に浮いた状態となり、該浮いた状態になることに伴う前記支持片部のバネ作用によって、閉じた状態の前記遮蔽片が前記蓋板を後方向に向けて弾性的に押圧するように構成されていることを特徴とする請求項２記載の点検口用の枠材。
【請求項６】
前記本体部材の後部には、前記溝部の幅方向に所要間隔をおいて突片が対向状態に突設され両突片間に係合溝が形成されてなり、又前記蓋板支持片は、該係合溝内に押し込み可能の係合突部を具え、該係合突部を所要量押し込んだ状態で、該係合突部と係合溝との係合によって前記蓋板支持片の脱落が阻止されるようになされ、又前記蓋板支持片の、前記蓋板の後面を支持する支持片部は、その基端側から先端側に向かって前方に傾斜し、前記先端側で前記後面に接し且つ前記基端側が前記後面に浮いた状態となり、該浮いた状態になることに伴う前記支持片部のバネ作用によって、閉じた状態の前記遮蔽片が前記蓋板を後方向に向けて弾性的に押圧するように構成されていることを特徴とする請求項２記載の点検口用の枠材。
【請求項７】
前記第１の覆片は、その後部で後方に延長された延長片を具えており、該延長片の前側の部分が前記突片の一方を構成すると共に、該延長片の後側の部分が、前記点検口の周縁部分への固定部とされていることを特徴とする請求項６記載の点検口用の枠材。
【請求項８】
請求項１〜７のいずれかに記載の点検口用の枠材を、前記溝部を前側に向けて正方形状又は長方形状に枠組みし、上下左右の枠材の前記遮蔽片が独立して開閉可能とされており、又、前記傾斜した第２の覆片が周方向に連続して形成する開口枠部の内部に、その前端開口を通して前記蓋板を嵌め入れ可能となされており、前記第１の係合部と第２の係合部とが係合して遮蔽片が閉じた状態において、前記点検口を閉蓋した状態にある前記蓋板の端縁部分を前側から支持する如くなされ、又前記蓋板の外周面の後端縁が、傾斜した前記第２の覆片の傾斜外面に当接するように構成されていることを特徴とする点検口枠体。
【発明の詳細な説明】
【０００１】
【発明の属する技術分野】
本発明は、建物の壁や天井に形成された点検口の周縁部分に取り付けられる点検口用の枠材に関するものであり、又該枠材を用いた点検口枠体に関するものである。
【０００２】
【従来の技術】
建物の壁や天井部に設けられた点検口の周縁部分に取り付けられる従来の枠材の一例としては、図１７に示すように、下地部ａにビスｂを用いて固定される固定片ｃの両側に、点検口ｄの内周面ｅを覆う第１の覆片ｆと、前記点検口ｄを閉蓋する蓋板ｇの外周面ｈを当接状態で覆う第２の覆片ｊとを対向状態に平行して突設すると共に、該第１、第２の覆片ｆ，ｊ間に形成された溝部ｋの開放部ｍを遮蔽する遮蔽片ｎが、前記第１の覆片ｆの前部に、屈曲部ｏを介して開閉可能に一体に設けられていた。そして前記遮蔽片ｎが閉じるに伴って、遮蔽片ｎの後面に設けた第１の係合部ｐが前記第２の覆片ｊを、前記蓋板の外周面ｈに押圧するものであり、前記遮蔽片ｎが閉じた時には、前記第２の覆片ｊの弾性復元によって、前記第１の係合部ｐと、前記第２の覆片ｊの前部の溝部ｋ側に設けられた第２の係合部ｓとが係合状態となり、これにより、前記遮蔽片ｎが前記開放部ｍを遮蔽した状態で保持され、且つ該遮蔽片ｎの先端側の部分ｔが、前記下地部ａで後面ｕが支持された状態にある前記蓋板ｇの端縁部分ｖを前側から支持するように構成されていた。
【０００３】
【発明が解決しようとする課題】
しかしながら、前記構成の枠材を用いて構成した点検口枠体ｗにあっては、次のような問題点があった。
▲１▼  前記第２の覆片ｊが、蓋板ｇの外周面ｈに当接状態にあったことから、前記遮蔽片ｎの閉じ動作は、第２の係合部ｓが第２の覆片ｊを前記外周面ｈに向けて無理に押圧すると共に、前記屈曲部ｏの無理な圧縮変形も生じさせて行われるものであり、遮蔽片を閉じにくい問題があった。又、点検口を通して配線や配管等の保守点検を行なう場合も、前記第２の覆片ｊや屈曲部ｎを無理に変形させることによって第１、第２の係合部ｐ，ｓの係合状態を解除する必要があり、遮蔽片を開きにくい問題があった。
【０００４】
▲２▼  又、位置が固定的で変形性のない下地部ａと前記遮蔽片の先端側の部分ｔとで端縁部分ｖを挾持して蓋板ｇを保持していたため、点検口枠体の取り付け誤差等によって、閉蓋状態の蓋板にガタツキが発生する恐れがあった。又前記第２の覆片ｊが前後方向で突出する（傾斜していない）ために、該第２の覆片ｊの周方向の連続によって形成された開口部枠ｙの内部に蓋板ｇを円滑に嵌め入れるためには、蓋板の上下方向寸法及び左右方向寸法を、前記開口部枠の上下方向及び左右方向の内法よりも稍小さく設定させざるを得ないことになるが、このことが、閉蓋状態の蓋板に、上下方向や左右方向でガタツキを生じさせる原因となった。
【０００５】
▲３▼  又前記枠材の固定を、前記第１、第２の覆片ｆ，ｇ間に形成された溝部の底部分（固定片ｃ）でビス固定によって行なうこととしていたため、その固定のためには、ビスの位置決めとドライバーによる回転操作等のために３０ｍｍ前後の溝幅を必要とした。従って、点検口の周縁部分に縁取り幅の大きい枠が取り付いた状態となり、点検口部分の見栄えが悪くなる問題があった。
【０００６】
本発明は、かかる問題点等に鑑みて開発されたものであり、遮蔽片の開閉を容易に行なうことができる点検口用の枠材の提供を目的とするものである。更に進んで、閉蓋状態の蓋板の安定性を向上させる点検口用の枠材の提供を目的とするものである。又、該枠材を用いた点検口枠体の提供を目的をするものである。
【０００７】
【課題を解決するための手段】
前記課題を解決するため、本発明は以下の手段を採用する。
即ち、本発明に係る点検口用の枠材は、壁や天井に形成された点検口の周縁部分に取り付けられる枠材であって、前記点検口の内周面を覆う第１の覆片と前記点検口を閉蓋する蓋板の外周面を覆う第２の覆片とが、前端開放の溝部を両者間に形成するように後部で一体化され、且つ前記第２の覆片が、その後部から前部に向かうにつれて前記第１の覆片側に傾斜してなる本体部材を具えている。そして該本体部材の前記溝部の開放部を遮蔽する遮蔽片が、前記第１の覆片の前部に屈曲部を介して開閉可能に一体に設けられ、又前記遮蔽片が閉じるに伴って、該遮蔽片の後面に設けた第１の係合部が前記第２の覆片を、その傾斜角度を小さくする方向に弾性変形させ、前記遮蔽片が閉じたときには、前記第２の覆片が弾性的に戻ることによって、前記第１の係合部と前記第２の覆片の前記溝部側に設けられた第２の係合部とが係合状態になり、これにより、前記遮蔽片が前記開放部を遮蔽した状態で保持され、且つ該遮蔽片の先端側の部分が、点検口を閉蓋した状態にある前記蓋板の端縁部分を前側から支持する如くなされていることを特徴とするものである。
【０００８】
前記点検口用の枠材は、前記本体部材の後部に、閉蓋状態にある前記蓋板の後面を支持する蓋板支持片が設けられたものとして構成するのがよい。
【０００９】
又前記各点検口用の枠材において、前記第２の覆片の前部には、前記溝部側と反対側に突部を設け、前記突部の先端が、板材を所要に切断して前記蓋板を形成する場合にその切断寸法を設定する定規として機能するように構成するのがよい。
【００１０】
又前記各点検口用の枠材において、前記第２の覆片の前部に、前記溝部側と反対側に突部を設け、前記第１の係合部と第２の係合部とが係合した状態で前記突部が、点検口を閉蓋した状態にある前記蓋板の端縁部分の前面と係合するように構成するのがよい。
【００１１】
又前記点検口用の枠材が蓋板支持片を具える場合、前記蓋板支持片の、前記蓋板の後面を支持する支持片部が、その基端側から先端側に向かって前方に傾斜し、前記先端側で前記後面に接し且つ前記基端側が前記後面に浮いた状態となり、該浮いた状態になることに伴う前記支持片部のバネ作用によって、閉じた状態の前記遮蔽片が前記蓋板を後方向に向けて弾性的に押圧するように構成するのがよい。
【００１２】
又前記点検口用の枠材が蓋板支持片を具える場合、前記本体部材の後部に、前記溝部の幅方向に所要間隔で突片を対向状態に突設することにより、両突片間に係合溝を形成し、又前記蓋板支持片は、該係合溝内に押し込み可能の係合突部を具え、該係合突部を所要量押し込んだ状態で、該係合突部と係合溝との係合によって前記蓋板支持片の脱落が阻止されるようになし、又前記蓋板支持片の、前記蓋板の後面を支持する支持片部は、その基端側から先端側に向かって前方に傾斜し、前記先端側で前記後面に接し且つ前記基端側が前記後面に浮いた状態となり、該浮いた状態になることに伴う前記支持片部のバネ作用によって、閉じた状態の前記遮蔽片が前記蓋板を後方向に向けて弾性的に押圧するように構成するのがよい。
【００１３】
又前記点検口用の枠材が蓋板支持片を具える場合、前記第１の覆片は、その後部で後方に延長された延長片を具えたものとし、該延長片の前側の部分が前記突片の一方を構成すると共に、該延長片の後側の部分が、前記点検口の周縁部分への固定部を構成するようになすのがよい。
【００１４】
又本発明に係る点検口枠体は、前記したいずれかの点検口用の枠材を、前記溝部を前側に向けて正方形状又は長方形状に枠組みし、上下左右の枠材の前記遮蔽片が独立して開閉可能とされており、又、前記傾斜した第２の覆片が周方向に連続して形成する開口枠部の内部に、その前端開口を通して前記蓋板を嵌め入れ可能となされており、前記第１の係合部と第２の係合部とが係合して遮蔽片が閉じた状態において、前記点検口を閉蓋した状態にある前記蓋板の端縁部分を前側から支持する如くなされ、又前記蓋板の外周面の後端縁が、傾斜した前記第２の覆片の傾斜外面に当接するように構成されていることを特徴とするものである。
【００１５】
【発明の実施の形態】
以下、本発明の実施の形態を図面に基づいて説明する。
図１〜２において本発明に係る点検口用の枠材１は、壁Ｗに設けられた点検口２の周縁部分に取り付けられる合成樹脂製の枠材（例えば押出成形によって製作される）であって、前記点検口２の内周面３を覆う第１の覆片５と前記点検口２を閉蓋する蓋板６の外周面７を覆う第２の覆片９とが、前端開放の溝部１０を両者間に形成するように後部で連結片１１により連結一体化され、且つ前記第２の覆片９が、その後部１２から前部１３に向かうにつれて前記第１の覆片５側に傾斜してなる、断面コ字状の本体部材１５を具えている。
【００１６】
本実施の形態においては、前記本体部材１５の後部（本実施の形態においては、前記連結片１１）に、前記点検口２を閉蓋した状態にある前記蓋板６の後面１６を支持する蓋板支持片１７が設けられている。又前記本体部材１５の前記第１の覆片５は、その後部で後方に延長された延長片１９を具えており、該延長片１９の後側の部分が、前記点検口２の内周縁部分をなす下地部２０への釘着用の固定部２１とされている。又該第１の覆片５の前部２２には、前記点検口２の縁部分を前側から被覆でき且つ後方に突出する突出部２３を先端に具えたＬ字状をなす化粧片２４が屈曲形成されている。
【００１７】
前記蓋板支持片１７は本実施の形態においては、図１〜２に示すように、本体部材１５の後部に設けた係合溝２５内に所要量押し込み可能の係合突部２６を端部分に具えており、該係合突部２６が前記係合溝２５内に所要量押し込まれた状態で本体部材１５の後部に設けられている（図２）。
【００１８】
前記係合溝２５は、前記延長片１９の前側部分としての突片２７と、該突片２７に対向して前記連結片１１に突設された突片２９との間で形成されており、該両突片２７，２９の内面には対向状態で、係合溝の溝底３０に面する係合面３１（図２（Ｂ））を複数段に有している。又前記係合突部２６は、その対向面部に、前記係合面３１と係合し得る係合面３２（図２（Ｂ））を複数段に有している。
【００１９】
そして前記蓋板支持片１７は、前記構成を有する係合突部２６の基端に、前記連結片１１と略平行する屈曲片３３が略直角に連設されると共に、該屈曲片３３の先端で、前記蓋板６の後面１６に向けて突出する突出片３５が略直角に連設され、且つ該突出片３５の先端で、基端側３６から先端側３７に向かって前方に傾斜する支持片部３９が略直角に連設されている。
【００２０】
かかる構成を有する蓋板支持片１７は、図２に示すように、前記係合突部２６を前記係合溝２５内に所要量押し込んで前記係合面３１，３２を係合させた状態において、前記支持片部３９が、その先端側３７で前記後面１６に接し且つ前記基端側３６が前記後面１６に浮いた状態となり、該浮いた状態になることに伴い、支持片部３９のバネ作用が得られる。
【００２１】
又前記溝部１０の開放部４０を遮蔽する遮蔽片４１が、前記第１の覆片５の前部２２に屈曲部４２を介して開閉可能に一体に設けられている。そして該遮蔽片４１の後面には、本実施の形態においては前記屈曲部４２に近接させて、遮蔽片４１の長さ方向に延長する状態で、突条としての第１の係合部４３が設けられており、該遮蔽片４１が閉じた状態において、図２に示すように、該第１の係合部４３が、前記第２の覆片９の前部１３の前記溝部１０側に設けられた突部としての第２の係合部４６と係合状態になり得る。
【００２２】
そして図２（Ｃ）に示すように、前記第２の係合部４６の前端面部分は円弧面４７として形成され、係合面４９を後側に有している。又前記第１の係合部４３は、前記係合面４９と係合し得る係合面５０を前端部分として有している。
【００２３】
然して前記遮蔽片４１が図３に示すように閉じるに伴い、前記第１の係合部４３の後端部分５１が前記第２の係合部４６の前記円弧面４７を押圧し、これにより前記第２の覆片９が、図４に示すようにその傾斜角度を小さくする方向に弾性変形する。そして該遮蔽片４１が図２に示すように閉じたときには、前記第２の覆片９が弾性的に戻ることによって、前記第１の係合部４３と前記第２の係合部４６とが、両係合面４９，５０で係合状態になり、これにより、前記遮蔽片４１が前記開放部４０を遮蔽した状態で保持される。
【００２４】
そして遮蔽片４１が開放部４０を遮蔽した状態において、図２に示すように、該遮蔽片４１の先端側の部分５２が、前記点検口２を閉蓋した状態にある前記蓋板６の端縁部分５３を前側から支持する如くなされており、これにより、遮蔽片の先端側の部分５２と前記蓋板支持片１７の支持片部３９との間で蓋板６の端縁部分５３が弾性的な挾持状態となる。
【００２５】
又前記遮蔽片４１の先端には、図１〜２に示すように、前記第１の係合部４３と第２の係合部４６との係合状態を解除するためにドライバー等の工具先端を挿入するための条溝５５が設けられている。
【００２６】
特に本実施の形態においては、図２に示すように、前記第２の覆片９の前部１３に、前記溝部１０側と反対側に突部５６が設けられており、該突部５６の先端５７は、後述のように、石膏ボード等の板材を所要に切断することによって前記蓋板６を形成する場合に、その切断寸法を設定する定規として機能し得る。
【００２７】
前記構成を有する枠材１を用いて構成された図５〜７に示す点検口枠体５９は、前記点検口２の周縁部分６０を被覆した状態で装着されるものであり、所要長さに切断された上下左右の枠材６１，６２，６３，６５を、その溝部１０を前側に向けて、正方形状又は長方形状に枠組み（図５においては、正方形状に枠組みされている）して構成されている。
【００２８】
その具体的な構成を説明すれば、前記した上下左右の枠材６１，６２，６３，６５は、夫々その両端部が４５度の角度で斜めに切り落とされており、隣り合う枠材の端部６６，６７相互は、図９に示すように、前記化粧片２４の後側溝部６９に嵌め込まれるＬ字状接合部材７０を用いて溶着や接着等の手段により接合一体化され、これにより、正方形状の枠本体７１が構成されている。
【００２９】
そして前記構成の蓋板支持片１７が、その係合突部２６が前記係合溝２５に係合せしめられて前記枠本体７１に取り付けられるのであるが、その際図６〜７に示すように、該枠本体７１のコーナ部分にはＬ字状の蓋板支持片１７ａが取り付けられると共に、隣り合う該蓋板支持片１７ａ，１７ａ間には直線状の蓋板支持片１７ｂが取り付けられる。
【００３０】
前記Ｌ字状の蓋板支持片１７ａは、図１０に示すように、前記屈曲片３３と突出片３５とがＬ字状に連結一体化されており、そのＬ字の両辺部を構成する前記屈曲片３３，３３の端部側には、前記係合突部２６，２６が突設されている。又前記突出片３５，３５には、独立状態で、前記支持片部３９，３９が突設されている。
【００３１】
かかる構成を有するＬ字状の蓋板支持片１７ａは図６〜７に示すように、その両端の係合突部２６，２６が前記係合溝２５，２５に夫々押し込まれることにより、前記枠本体７１に取り付けられる。このように構成されたＬ字状の蓋板支持片１７ａは、前記枠本体７１のコーナ部分を補強する補強部材としても機能することになる。
【００３２】
前記構成を有する点検口枠体５９を用いて、前記点検口２を前記蓋板６で閉蓋するには図１１、図２〜３に示すように、該点検口枠体５９を点検口２に嵌め入れ、前記化粧片２４の前記突出部２３を、点検口の縁部分の前面７５に当接させると共に、この状態で、前記固定部２１を下地部２０にネジ釘７６で固定する。なお、点検口枠体５９がこのように取り付けられた状態においては、前記遮蔽片４１を、図１１に示すように開いた状態にしておく。この状態においては、前記第２の覆片９が傾斜状態にあるため、該第２の覆片９が周方向に連続して形成された正方形状の開口枠部７７は、図１１に示すように、前端に向かって末広がりの状態にある。
【００３３】
前記蓋板６は、図１１、図５に示すように、前記開口枠部７７の内部に嵌め入れられてその後面１６が前記蓋板支持片１７の支持片部３９で支持される正方形板状に構成されており、図２に示すように、該蓋板６の外周面７は蓋板の前面７９と直角をなしている。
【００３４】
該蓋板６は、石膏ボード等の板材を、施工現場で正方形状に切断して形成される場合がある。そのときは、前記第２の覆片９の前部に設けた前記突部５６の先端５７（図２）を定規として機能させ、切断寸法を所要に設定することにより、寸法精度のよい蓋板を形成できることになる。図１０によって説明すれば、上下方向及び左右方向の切断寸法を、上下の突部の先端５７，５７間の距離Ｌ１及び左右の突部の先端５７，５７間の距離Ｌ２によって設定する。又該蓋板６の肉厚は、かかる構成の蓋板６を図７〜８に示すように、前記正方形状の開口枠部７７の内部にその前端開口８０を通して嵌め入れ且つその後面１６を前記蓋板支持片１７の支持片部３９の先端側３７で支持させたときに、図８に示すように、該蓋板の外周面７の後端縁８１が前記第２の覆片９の傾斜外面８２にその後側部で当接し、且つ前記外周面７の前端縁８３が前記突部５６の稍後側に位置するように設定する。
【００３５】
然して前記構成の蓋板６で点検口２を閉蓋するには、図１１、図８に示すように、該蓋板６を、正方形状の開口枠部７７に嵌め入れる。該開口枠部７７に嵌め入れられた蓋板６は、その外周面７の後端縁８１で前記傾斜した前記第２の覆片９の傾斜外面（第２の覆片９の、前記溝部１０と反対側の面）８２にその後側部分で当接した状態となり、且つ前記外周面７の前端縁８３は、前記突部５６の稍後側に位置する。そして該外周面７と第２の覆片９との間には、前端に向かって溝幅が大きくなる楔状溝部８５が形成される。この状態で前記遮蔽片４１を閉じるのであるが、それに伴い図３に示すように、前記第１の係合部４３の前記後端部分５１が前記第２の係合部４６の前記円弧面４７を押圧し、これにより前記第２の覆片９が、図４に示すようにその傾斜角度を小さくする方向に弾性変形する。そして該遮蔽片４１が図２に示すように閉じたときには、前記第２の覆片９が弾性的に戻ることによって、前記第１の係合部４３と前記第２の係合部４６とが、両係合面４９，５０で係合状態になり、これにより、前記遮蔽片４１が前記開放部４０を遮蔽した状態で保持されることとなる。
【００３６】
そして前記遮蔽片４１が閉じた状態において、該遮蔽片の先端側の部分５２が前記蓋板の端縁部分５３の前面５３ａを被覆すると共に、該先端側の部分の後部８６が、前記蓋板６を前記蓋板支持片１７の支持片部３９に向けて押圧する。この押圧は、前記支持片部３９が、傾斜した状態でその先端側３７が蓋板６の後面１６に接し、その基端側３６が該後面１６に浮いた状態で行なわれる。従って該押圧は、支持片部３９の弾性変形を伴って弾性的に行なわれることになる。それ故蓋板６の端縁部分５３は、前記蓋板支持片１７の支持片部３９と前記遮蔽片４１の先端側の部分５２とによって、ガタツキのない状態で安定的に弾性挾持されることになり、図１２に示すように、蓋板６の安定した閉蓋状態が保たれることになる。
【００３７】
又、前記点検口２を通して配線や配管等の保守点検を行なうに際しては、前記閉じた状態にある遮蔽片４１の先端の条溝５５（図２）に例えばドライバの先端を挿入して該遮蔽片４１を手前（前方）に倒すように操作し、前記第１の係合部４３と第２の係合部４６との係合状態を解除して遮蔽片４１を開く。これにより前記正方形状の開口枠部７７は、前端に向かって末広がりの状態（蓋板を嵌め入れる時の状態）に戻るので、前記蓋板６を容易に取り外すことができる。
【００３８】
なお本実施の形態においては、前記のように、係合溝２５内への係合突部２６の押し込み量を所要に設定可能となされているため、本実施の形態に係る点検口枠体５９によるときは、例えば厚さの異なる２種類の蓋板を前記開口枠部７７内に嵌め入れて点検口２を閉蓋することができる。そのためには、例えば点検口枠体を出荷する際に、施工現場における蓋板の肉厚が厚い場合を想定して、図２に示すように、前記係合溝２５内への前記係合突部２６の押し込み量を小さめに設定しておく。施工現場おいて、厚肉の蓋板を用いる場合は、図２に示すように、該蓋板６を前記開口枠部７７内に嵌め入れて点検口２を閉蓋することができる。一方、薄肉の蓋板を用いる場合は、図１３に示すように、前記係合突部２６を前記係合溝２５内に奥まで十分に押し込むことによって、該蓋板６を前記正方形状の開口枠部７７の内部に嵌め入れ且つ遮蔽片４１を閉じることによって、点検口２を閉蓋できる。
【００３９】
〔その他の実施の形態〕
（１）  図１４は、前記第１の係合部４３と第２の係合部４６とが係合して前記遮蔽片４１が閉じた状態において、前記第２の覆片９の前部に設けた突部５６が、前記点検口２を閉蓋した状態にある前記蓋板６の端縁部分５３の前面５３ａと係合するように構成した場合を示している。このように構成したときは、蓋板６は、前記第１の係合部４３と第２の係合部４６との係合力に加えて、該端縁部分の前側５３ａと前記突部５６との係合力が付加されるために、遮蔽片４１が閉じた状態において、蓋板６の一層安定的な閉蓋状態が得られることになる。なお図１４において一点鎖線で示す第２の覆片９は、その自由状態を示している。
【００４０】
（２）  本発明に係る点検口用の枠材及び点検口枠体は、建築物の壁だけではなく、天井に形成される点検口に対しても応用することができる。
【００４１】
（３）  本発明に係る点検口枠体を点検口の周縁部分に固定する手段は、第１の覆片に延長した前記固定部２１を下地部２０に釘着して行なうことの他、図１５に示す従来施工のように、溝部１０の底部分８７で、下地部２０にネジ釘８９で固定する手段を採用してもよい。
【００４２】
（４）  又蓋板６の後面１６を支持する前記蓋板支持片１７は、その係合突片を係合溝に押し込む前記係合手段によって本体部材に設けることの他、あるタイプの点検口枠体において蓋板の肉厚が一種類であるときは、図１５に示すように、該蓋板支持片１７を本体部材に一体に設けることとしてもよい。
【００４３】
（５）  本発明に係る点検口用の枠材１は、前記蓋板支持片１７を具えないものとして構成されることがある。この場合は、例えば図１６に示すように、蓋板６の後面１６が下地部７９で支持される。なお同図において枠材１は、溝部１０の底部分８７で、下地部７９にネジ釘８９で固定されている。
【００４４】
【発明の効果】
本発明は以下の如き優れた効果を奏する。
（１）  本発明によるときは、本体部材を構成する第２の覆片が、その後部から前部に向かうにつれて前記第１の覆片側に傾斜する傾斜片として構成されているため、蓋板の外周面と第２の覆片との間に、該第２の覆片をその傾斜角度を小さくする方向に弾性変形させて逃がすための間隙を形成できる。これにより、点検口を蓋板で閉蓋した状態で前記遮蔽片を閉じる操作を、前記第２の覆片をその傾斜角度が小さくなる方向に弾性変形させて行なうことができる。従って、遮蔽片を無理なく閉じることができると共に、閉じた後においては前記第２の覆片が弾性的に戻ることに伴い、遮蔽片に設けた第１の係合部と第２の覆片に設けた第２の係合部との確実な係合状態が得られ、遮蔽片を遮蔽状態で保持できることになる。これによって、前記閉蓋状態にある蓋板を、該遮蔽片の先端側の部分と蓋板支持片との間で安定的に保持できることになる。又配線や配管等の保守点検に際して前記蓋板を取り外すときは、前記第２の覆片の弾性的な変形によって遮蔽片を開くことが容易である。
【００４５】
（２）  傾斜した第２の覆片が周方向に連続して形成された開口枠部の内部に蓋板を嵌め入れる構成であるため、該蓋板の外周面の後端縁を、前記傾斜した第２の覆片の傾斜外面に当接状態となし得、この状態で前記遮蔽片を閉じることによって蓋板を閉蓋状態で保持できる。従って、第２の覆片が前後方向で突出する（傾斜していない）前記従来の点検口枠体による場合のように、蓋板の製作誤差によって、閉蓋状態の蓋板に上下方向や左右方向でガタツキを生じさせるといった問題を発生させることがない。
【００４６】
（３）  前記第２の覆片の前部に、前記本体部材の溝部側と反対側に突部を設け、該突部の先端が、板材を所要に切断して前記蓋板を形成する場合にその切断寸法を設定する定規として機能するように構成するときは、前記蓋板を、現場作業によって板材を所要に切断して形成する場合、前記定規を利用して切断寸法を設定することにより、前記開口枠部の内部に嵌め入れることのできる所定寸法の蓋板を形成することが容易である。
もしもこのような突部が設けられていない場合は、前記第２の覆片の周方向の連続によって形成された前記開口枠部が前端に向かって末広がりとなるように傾斜しているために、誤って、末広がりの先端を定規にして切断寸法を設定する恐れがある。このように切断して蓋板を形成した場合は、寸法が合わないために、該蓋板を開口枠部内に挿入できないことになってしまう。前記突部は、このような不具合を解消するために役に立つ。
【００４７】
（４）  前記第１の係合部と第２の係合部とが係合して前記遮蔽片が閉じた状態において、前記第２の覆片の前部に設けた突部が、閉蓋状態にある蓋板の端縁部分の前面と係合するように構成した場合は、前記第１の係合部と第２の係合部との係合力に、該端縁部分の前面と前記突部との係合力が付加されるために、遮蔽片が閉じた状態において、蓋板の一層安定的な閉蓋状態が得られることになる。これによって、天井に設けた点検口に本発明に係る点検口枠体を取り付ける場合も、蓋板を安定的に保持できることとなる。
【００４８】
（５）  本発明に係る点検口用の枠材が、閉蓋状態にある蓋板の後面を支持する蓋板支持片を具える場合、前記蓋板支持片の、前記蓋板の後面を支持する支持片部が、その基端側から先端側に向かって前方に傾斜し、前記先端側で前記後面に接し、且つ前記基端側が前記後面に浮いた状態となるように構成した場合は、該支持片部が傾斜状態で蓋版の後面に接することに伴うバネ作用によって、前記遮蔽片を閉じたときに、その先端側の部分が前記蓋板を弾性的に後方向に押圧する状態となる。従って、該蓋板を、前記蓋板支持片と遮蔽片との間でガタツキなく安定的に保持して、蓋板の閉蓋状態の安定性向上を達成できることになる。これは、蓋板の縁部分を、位置が固定的で変形性のない下地部後面と前記遮蔽片の先端側の部分とで挾持して蓋板を保持する前記従来の点検口枠体によっては達成できない効果である。
【００４９】
（６）  前記本体部材の後部に対向状態に突設した突片間で係合溝を形成し、前記蓋板支持片に、該係合溝内に押し込み可能の係合突部を設ける構成とした場合は、該係合突部と係合溝との係合によって蓋板支持片を本体部材に安定的に取り付けることが可能であると共に、係合溝内への係合突部の押し込み量の所要の設定により、前記蓋板支持片と、閉じた状態の遮蔽片との間の間隔を調節することができ、これにより、厚さの異なる複数種類の蓋板の保持が可能となる。
【００５０】
（７）  本体部材を構成する第１の覆片が、その後部で後方に延長された延長片を具えるときは、該延長片によって、前記係合溝の形成と点検口枠体の固定部の形成とを、構造簡素に達成できることとなる。
【００５１】
（８）  延長片の後側の部分としての固定部で、点検口枠体を点検口の周縁部分に固定する場合は、前記従来の点検口枠体におけるように、遮蔽片で閉じられる溝部の底部分で点検口枠体をビス固定するのとは異なり、本体部材の溝部の幅を小さく設定することができ、これにより、点検口の周縁部分を縁取る縁取り幅を小さくしてこの縁取りを極力目立ちにくくでき、点検口部分の見栄えを向上できることになる。
【図面の簡単な説明】
【図１】本発明に係る枠材を示す分解斜視図である。
【図２】その使用状態を示す断面図である。
【図３】遮蔽片を閉じる際の作用を説明する断面図である。
【図４】遮蔽片を閉じる際の作用を説明する断面図である。
【図５】本発明に係る点検口枠体を使用状態で示す正面図である。
【図６】点検口枠体を使用状態で示す背面図である。
【図７】点検口枠体の使用状態を示す部分斜視図である。
【図８】点検口枠体の開口枠部の内部に蓋板を嵌め入れた状態を示す断面図である。
【図９】隣り合う枠材の端部相互をＬ字状接合部材で接合一体化した状態を示す斜視図である。
【図１０】点検口枠体を分解して示す部分斜視図である。
【図１１】点検口枠体に蓋板を嵌め入れた状態を示す断面図である。
【図１２】点検口枠体に蓋板を嵌め入れると共に遮蔽片を閉じた状態を示す断面図である。
【図１３】本発明に係る枠材の他の使用状態を示す断面図である。
【図１４】本発明に係る枠材の他の態様をその使用状態で示す部分断面図である。
【図１５】本発明に係る枠材のその他の態様を使用状態で示す断面図である。
【図１６】本発明に係る枠材のその他の態様を使用状態で示す断面図である。
【図１７】従来の枠材をその使用状態で示す断面図である。
【符号の説明】
１  枠材
２  点検口
３  点検口の内周面
５  第１の覆片
６  蓋板
７  蓋板の外周面
９  第２の覆片
１０  溝部
１１  連結片
１５  本体部材
１６  蓋板の後面
１７  蓋板支持片
２５  係合溝
２６  係合突部
３９  支持片部
４１  遮蔽片
４２  屈曲部
４３  第１の係合部
４６  第２の係合部
５６  突部
５７  突部の先端
５９  点検口枠体
６０  点検口の周縁部分
【図１】
0003604978.tif 000002
【図２】
0003604978.tif 000003
【図３】
0003604978.tif 000004
【図４】
0003604978.tif 000005
【図５】
0003604978.tif 000006
【図６】
0003604978.tif 000007
【図７】
0003604978.tif 000008
【図８】
0003604978.tif 000009
【図９】
0003604978.tif 000010
【図１０】
0003604978.tif 000011
【図１１】
0003604978.tif 000012
【図１２】
0003604978.tif 000013
【図１３】
0003604978.tif 000014
【図１４】
0003604978.tif 000015
【図１５】
0003604978.tif 000016
【図１６】
0003604978.tif 000017
【図１７】
0003604978.tif 000018